(57)【要約】【課題】簡易な操作により複数のアプリケーションに関する削除操作を行うことが可能な電子機器、プログラムおよび電子機器の制御方法を提供する。【解決手段】携帯電話機１は、ディスプレイ３と、記憶部１２と、削除制御部３１を備える。起動用アイコン１０６に付された削除アイコン１０６ａに対してタップ操作がなされると（Ｓ１０３：ＹＥＳ）、削除制御部３１は、記憶部１２に記憶されたアプリケーション情報テーブル１２ａの情報に基づいて、タップ操作がなされた削除対象アプリケーションに関連する削除候補アプリケーションを抽出する（Ｓ１０４）。削除制御部３１は、削除対象アプリケーションを削除するとともに（Ｓ１１２）、抽出された削除候補アプリケーションを削除する（Ｓ１１４）。【選択図】図５
2015026961.tif 000002
【特許請求の範囲】
【請求項１】
アプリケーションに関する情報が記憶される記憶部と、
前記アプリケーションの中から削除対象となる第１のアプリケーションの選択を受け付ける受付部と、
前記記憶部に記憶されたアプリケーションに関する情報に基づいて、前記アプリケーションの中から、前記第１のアプリケーションに関連する第２のアプリケーションを、削除候補として抽出する抽出部と、
前記第１のアプリケーションの削除に応じて、前記抽出部により抽出された前記第２のアプリケーションを削除するアプリケーション削除部と、を備える、
ことを特徴とする電子機器。
【請求項２】
請求項１に記載の電子機器において、
前記アプリケーションに関する情報は、アプリケーションの種類を含み、
前記抽出部は、アプリケーションの種類に基づいて、前記第２のアプリケーションを削除候補として抽出する、
ことを特徴とする電子機器。
【請求項３】
請求項２に記載の電子機器において、
前記抽出部は、前記第１のアプリケーションの種類と同一の種類である前記第２のアプリケーションを削除候補として抽出する、
ことを特徴とする電子機器。
【請求項４】
請求項１ないし３の何れか一項に記載の電子機器において、
前記アプリケーションに関する情報は、アプリケーションの起動日時を含み、
前記抽出部は、アプリケーションの起動日時に基づいて、前記第２のアプリケーションを削除候補として抽出する、
ことを特徴とする電子機器。
【請求項５】
請求項４に記載の電子機器において、
前記抽出部は、前記第１のアプリケーションが最後に起動された日時から所定の時間内に起動された前記第２のアプリケーションを削除候補として抽出する、
ことを特徴とする電子機器。
【請求項６】
請求項１ないし５の何れか一項に記載の電子機器において、
前記アプリケーションに関する情報は、アプリケーションの取得元を含み、
前記抽出部は、アプリケーションの取得元に基づいて、前記第２のアプリケーションを削除候補として抽出する、
ことを特徴とする電子機器。
【請求項７】
請求項６に記載の電子機器において、
前記抽出部は、前記第１のアプリケーションの取得元と同一の取得元である前記第２のアプリケーションを削除候補として抽出する、
ことを特徴とする電子機器。
【請求項８】
請求項１ないし７の何れか一項に記載の電子機器において、
前記アプリケーションに関する情報は、アプリケーションの作成元を含み、
前記抽出部は、アプリケーションの作成元に基づいて、第２のアプリケーションを削除候補として抽出する、
ことを特徴とする電子機器。
【請求項９】
請求項８に記載の電子機器において、
前記抽出部は、前記第１のアプリケーションの作成元と同一の作成元である前記第２のアプリケーションを削除候補として抽出する、
ことを特徴とする電子機器。
【請求項１０】
請求項１ないし９の何れか一項に記載の電子機器において、
表示部と、
前記表示部に、前記第１のアプリケーションを起動するために操作される第１のオブジェクトと、前記第２のアプリケーションを起動するために操作される第２のオブジェクトを含む操作画面を表示させる表示制御部と、
前記アプリケーション削除部による前記第１アプリケーションおよび前記第２アプリケーションの削除に伴い、前記第１のオブジェクトのおよび前記第２のオブジェクトを削除するオブジェクト削除部と、をさらに備える、
ことを特徴とする電子機器。
【請求項１１】
請求項１０に記載の電子機器において、
前記表示制御部は、ユーザに前記第２のアプリケーションを削除するか否かを選択させる選択画面を前記表示部に表示させ、
前記アプリケーション削除部は、前記選択画面に対する操作内容に応じて、削除候補として抽出された前記第２のアプリケーションを削除する、
ことを特徴とする電子機器。
【請求項１２】
請求項１１に記載の電子機器において、
前記表示制御部は、前記選択画面に、前記操作画面における前記第２のオブジェクトの表示位置を示す情報を表示させる、
ことを特徴とする電子機器。
【請求項１３】
請求項８ないし１１の何れか一項に記載の電子機器において、
前記表示制御部は、前記アプリケーション削除部が前記第１のアプリケーションを削除する前に、前記選択画面を表示させる、
ことを特徴とする電子機器。
【請求項１４】
表示部と、
アプリケーションに関する情報が記憶される記憶部と、
前記アプリケーションに対応するオブジェクトを前記表示部に表示させる表示制御部と、
前記オブジェクトの中から削除対象となる第１のオブジェクトの選択を受け付ける受付部と、
前記記憶部に記憶された前記アプリケーションに関する情報に基づいて、前記オブジェクトの中から、前記第１のオブジェクトに関連する前記第２のオブジェクトを削除候補として抽出する抽出部と、
前記第１のオブジェクトの削除に応じて、前記抽出部により抽出された前記第２のオブジェクトを削除するオブジェクト削除部をと、を備える、
ことを特徴とする電子機器。
【請求項１５】
アプリケーションに関する情報が記憶される記憶部を備える電子機器のコンピュータに、
前記アプリケーションの中から削除対象となる第１のアプリケーションの選択を受け付ける機能と、
前記アプリケーションに関する情報に基づいて、前記アプリケーションの中から、前記第１のアプリケーションに関連する第２のアプリケーションを、削除候補として抽出する機能と、
前記第１のアプリケーションの削除に応じて、抽出された前記第２のアプリケーションを削除する機能と、を付与する、
ことを特徴とするプログラム。
【請求項１６】
表示部とアプリケーションに関する情報が記憶される記憶部を備える電子機器のコンピュータに、
前記アプリケーションに対応するオブジェクトを前記表示部に表示する機能と、
前記オブジェクトの中から削除対象となる第１のオブジェクトの選択を受け付ける機能と、
前記記憶部に記憶された、前記アプリケーションに関する情報に基づいて、前記オブジェクトの中から、前記第１のオブジェクトに関連する前記第２のオブジェクトを削除候補として抽出する機能と、
前記第１のオブジェクトの削除に応じて、抽出された前記第２のオブジェクトを削除する機能と、を付与する、
ことを特徴とするプログラム。
【請求項１７】
アプリケーションに関する情報が記憶される記憶部を備える電子機器の制御方法であって、
前記アプリケーションの中からの削除対象となる第１のアプリケーションの選択を受け付けるステップと、
前記アプリケーションに関する情報に基づいて、前記アプリケーションの中から、前記第１のアプリケーションに関連する第２のアプリケーションを、削除候補として抽出するステップと、
前記第１のアプリケーションの削除に応じて、抽出された前記第２のアプリケーションを削除するステップと、を含む、
ことを特徴とする制御方法。
【請求項１８】
表示部とアプリケーションに関する情報が記憶される記憶部を備える電子機器の制御方法であって、
前記アプリケーションに対応するオブジェクトを前記表示部に表示するステップと、
前記オブジェクトの中から削除対象となる第１のオブジェクトの選択を受け付けるステップと、
前記アプリケーションに関する情報に基づいて、前記オブジェクトの中から、前記第１のオブジェクトに関連する前記第２のオブジェクトを削除候補として抽出するステップと、
前記第１のオブジェクトの削除に応じて、抽出された前記第２のオブジェクトを削除するステップと、を含む、
ことを特徴とする制御方法。
【発明の詳細な説明】
【技術分野】
【０００１】
本発明は、携帯電話機、パーソナルコンピュータ、ＰＤＡ（PersonalDigital Assistant）、タブレットＰＣ（Tablet PC）、電子書籍端末等の電子機器に関する。さらに、本発明は、かかる電子機器に用いて好適なプログラム、および電子機器の制御方法に関する。
【背景技術】
【０００２】
従来、タッチパネルに対するタッチ操作に基づいて、各種のアプリケーションプログラム（以下、単に「アプリケーション」と称する。）を実行する携帯電話機が知られている。
【０００３】
かかる携帯電話機では、ディスプレイに表示されたアプリケーションを実行するための所望の起動用アイコンに対して、所定のタッチ操作が行われると、選択された起動用アイコンに対応するアプリケーションの削除を実行しても良いか否かを確認する画面がディスプレイに表示される。アプリケーションの削除を確認する画面において、削除を承認する操作が行われることにより、削除操作の対象とされたアプリケーションが携帯電話機から削除される。
【先行技術文献】
【特許文献】
【０００４】
【特許文献１】特開２０１２‐２０３８９５号公報
【発明の概要】
【発明が解決しようとする課題】
【０００５】
上記の携帯電話機において、複数のアプリケーションまたは起動用アイコンを削除しようとする場合、ユーザは、上述のような削除操作を繰り返す必要がある。すなわち、上記の携帯電話機では、複数のアプリケーションまたは起動用アイコンの削除のために、ユーザに煩雑な作業が要求されていた。
【０００６】
また、このような単純な削除操作を複数回繰り返すことにより、誤って意図しないアプリケーションまたは起動用アイコンを削除してしまう虞がある。
【０００７】
そこで、本発明は、簡易な操作により複数のアプリケーションに関する削除操作を行うことが可能な電子機器、プログラムおよび電子機器の制御方法を提供することを目的とする。
【課題を解決するための手段】
【０００８】
本発明の第１の態様は、電子機器に関する。本態様に係る電子機器は、アプリケーションに関する情報が記憶される記憶部と、前記アプリケーションの中から削除対象となる第１のアプリケーションの選択を受け付ける受付部と、前記記憶部に記憶されたアプリケーションに関する情報に基づいて、前記アプリケーションの中から、前記第１のアプリケーションに関連する第２のアプリケーションを、削除候補として抽出する抽出部と、前記第１のアプリケーションの削除に応じて、前記抽出部により抽出された前記第２のアプリケーションを削除するアプリケーション削除部と、を備える。
【０００９】
本態様に係る電子機器において、前記アプリケーションに関する情報は、アプリケーションの種類を含み、前記抽出部は、アプリケーションの種類に基づいて、前記第２のアプリケーションを削除候補として抽出するような構成とされ得る。
【００１０】
このような構成とした場合、前記抽出部は、前記第１のアプリケーションの種類と同一の種類である前記第２のアプリケーションを削除候補として抽出するような構成とされ得る。
【００１１】
本態様に係る電子機器において、前記アプリケーションに関する情報は、アプリケーションの起動日時を含み、前記抽出部は、アプリケーションの起動日時に基づいて、前記第２のアプリケーションを削除候補として抽出するような構成とされ得る。
【００１２】
このような構成とした場合、前記抽出部は、前記第１のアプリケーションが最後に起動された日時から所定の時間内に起動された前記第２のアプリケーションを削除候補として抽出するような構成とされ得る。
【００１３】
本態様に係る電子機器において、前記アプリケーションに関する情報は、アプリケーションの取得元を含み、前記抽出部は、アプリケーションの取得元に基づいて、前記第２のアプリケーションを削除候補として抽出するような構成とされ得る。
【００１４】
このような構成とした場合、前記抽出部は、前記第１のアプリケーションの取得元と同一の取得元である前記第２のアプリケーションを削除候補として抽出するような構成とされ得る。
【００１５】
本態様に係る電子機器において、前記アプリケーションに関する情報は、アプリケーションの作成元を含み、前記抽出部は、アプリケーションの作成元に基づいて、第２のアプリケーションを削除候補として抽出するような構成とされ得る。
【００１６】
このような構成とした場合、前記抽出部は、前記第１のアプリケーションの作成元と同一の作成元である前記第２のアプリケーションを削除候補として抽出するような構成とされ得る。
【００１７】
本態様に係る電子機器において、表示部と、前記表示部に、前記第１のアプリケーションを起動するために操作される第１のオブジェクトと、前記第２のアプリケーションを起動するために操作される第２のオブジェクトを含む操作画面を表示させる表示制御部と、前記アプリケーション削除部による前記第１アプリケーションおよび前記第２アプリケーションの削除に伴い、前記第１のオブジェクトのおよび前記第２のオブジェクトを削除するオブジェクト削除部と、をさらに備えるような構成とされ得る。
【００１８】
このような構成とした場合、前記表示制御部は、ユーザに前記第２のアプリケーションを削除するか否かを選択させる選択画面を前記表示部に表示させ、前記アプリケーション削除部は、前記選択画面に対する操作内容に応じて、削除候補として抽出された前記第２のアプリケーションを削除するような構成とされ得る。
【００１９】
さらに、前記表示制御部は、前記選択画面に、前記操作画面における前記第２のオブジェクトの表示位置を示す情報を表示させるような構成とされ得る。
【００２０】
本態様に係る電子機器において、前記表示制御部は、前記アプリケーション削除部が前記第１のアプリケーションを削除する前に、前記選択画面を表示させるような構成とされ得る。
【００２１】
本発明の第２の態様は、電子機器に関する。本態様に係る電子機器は、表示部と、アプリケーションに関する情報が記憶される記憶部と、前記アプリケーションに対応するオブ
ジェクトを前記表示部に表示させる表示制御部と、前記オブジェクトの中から削除対象となる第１のオブジェクトの選択を受け付ける受付部と、前記記憶部に記憶された前記アプリケーションに関する情報に基づいて、前記オブジェクトの中から、前記第１のオブジェクトに関連する前記第２のオブジェクトを削除候補として抽出する抽出部と、前記第１のオブジェクトの削除に応じて、前記第２のオブジェクトを削除するオブジェクト削除部をと、を備える。
【００２２】
本発明の第３の態様に係るプログラムは、アプリケーションに関する情報が記憶される記憶部を備える電子機器のコンピュータに、前記アプリケーションの中から削除対象となる第１のアプリケーションの選択を受け付ける機能と、前記アプリケーションに関する情報に基づいて、前記アプリケーションの中から、前記第１のアプリケーションに関連する第２のアプリケーションを、削除候補として抽出する機能と、前記第１のアプリケーションの削除に応じて、抽出された前記第２のアプリケーションを削除する機能と、を付与する。
【００２３】
本発明の第４の態様に係るプログラムは、表示部とアプリケーションに関する情報が記憶される記憶部を備える電子機器のコンピュータに、前記アプリケーションに対応するオブジェクトを前記表示部に表示する機能と、前記オブジェクトの中から削除対象となる第１のオブジェクトの選択を受け付ける機能と、前記記憶部に記憶されたアプリケーションに関する情報に基づいて、前記オブジェクトの中から、前記第１のオブジェクトに関連する前記第２のオブジェクトを削除候補として抽出する機能と、前記第１のオブジェクトの削除に応じて、抽出された前記第２のオブジェクトを削除する機能と、を付与する。
【００２４】
本発明の第５の態様は、アプリケーションに関する情報が記憶される記憶部を備える電子機器の制御方法に関する。本態様に係る制御方法は、前記アプリケーションの中からの削除対象となる第１のアプリケーションの選択を受け付けるステップと、前記記憶部に記憶された前記アプリケーションに関する情報に基づいて、前記アプリケーションの中から、前記第１のアプリケーションに関連する第２のアプリケーションを、削除候補として抽出するステップと、前記第１のアプリケーションの削除に応じて、抽出された前記第２のアプリケーションを削除するステップと、を含む。
【００２５】
本発明の第６の態様は、表示部とアプリケーションに関する情報が記憶される記憶部を備える電子機器の制御方法に関する。本態様に係る制御方法は、前記アプリケーションに対応するオブジェクトを前記表示部に表示するステップと、前記オブジェクトの中から削除対象となる第１のオブジェクトの選択を受け付けるステップと、前記記憶部に記憶されたアプリケーションに関する情報に基づいて、前記オブジェクトの中から、前記第１のオブジェクトに関連する前記第２のオブジェクトを削除候補として抽出するステップと、前記第１のオブジェクトの削除に応じて、抽出された前記第２のオブジェクトを削除するステップと、を含む。
【発明の効果】
【００２６】
本発明によれば、簡易な操作により複数のアプリケーションに関する削除操作を行うことが可能な電子機器、プログラムおよび電子機器の制御方法を提供することができる。
【００２７】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２８】
【図１】実施形態に係る、携帯電話機の構成を示す図である。
【図２】実施形態に係る、携帯電話機の全体構成を示すブロック図である。
【図３】実施形態に係る、アプリケーション情報テーブルおよび削除候補登録テーブルを示す図である。
【図４】実施形態に係る、アプリケーションの実行によりディスプレイに表示される画面について説明するための図である。
【図５】実施例１に係る、アプリケーション削除処理を示すフローチャートである。
【図６】実施例１に係る、削除候補抽出処理を示すフローチャートである。
【図７】実施例１に係る、アプリケーション削除画面の表示例を示す図である。
【図８】実施例１に係る、アプリケーション削除画面の表示例を示す図である。
【図９】実施例２に係る、削除候補抽出処理を示すフローチャートおよび削除候補登録テーブルを示す図である。
【図１０】実施例３に係る、削除候補抽出処理を示すフローチャートおよび削除候補登録テーブルを示す図である。
【図１１】実施例４に係る、削除候補抽出処理を示すフローチャートおよび削除候補登録テーブルを示す図である。
【図１２】変更例１に係る、ホーム画面の表示例を示す図である。
【図１３】変更例１に係る、アイコン削除処理を示すフローチャートである。
【図１４】変更例１に係る、アイコン削除画面の表示例を示す図である。
【図１５】変更例２に係る、ホーム画面およびアプリケーション設定画面の表示例を示す図である。
【図１６】変更例２に係る、アプリケーション削除処理を示すフローチャートである。
【図１７】変更例２に係る、アプリケーション削除画面の表示例を示す図である。
【図１８】変更例３に係る、アプリケーション削除処理を示すフローチャートである。
【図１９】変更例３に係る、削除候補選択処理を示すフローチャートである。
【図２０】変更例３に係る、アプリケーション削除画面の表示例を示す図である。
【発明を実施するための形態】
【００２９】
以下、本発明の実施形態について、図面を参照して説明する。
【００３０】
図１（ａ）、（ｂ）および（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００３１】
図１に示されるように、携帯電話機１は、キャビネット２と、ディスプレイ３と、タッチパネル４と、マイクロフォン５と、通話スピーカ６と、外部スピーカ７とを含む。
【００３２】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３の画像が表示される面には、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００３３】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受
話音声が通話スピーカ６から出力され、ユーザが発した発話音声がマイクロフォン５に入力される。なお、音は、音声、報知音等、様々な音を含む。
【００３４】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００３５】
キャビネット２の上部には、正面側にインカメラ８が配されており、背面側にアウトカメラ９が配されている。インカメラ８は、携帯電話機１の正面方向に存在する被写体を撮影する。アウトカメラ９は、携帯電話機１の背面方向に存在する被写体を撮影する。
【００３６】
図２は、携帯電話機１の全体構成を示すブロック図である。
【００３７】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、振動発生部２０と、撮影部２１とを含む。
【００３８】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーション（たとえば、電話、電子メール、ウェブブラウザ、地図、ゲーム、スケジュール管理、等）を含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００３９】
記憶部１２には、プログラムの実行の際、一時的に利用または生成されるデータを記憶するワーキング領域も含まれる。
【００４０】
記憶部１２には、アプリケーション情報テーブル１２ａと、削除候補登録テーブル１２ｂが記憶されている。
【００４１】
図３（ａ）は、アプリケーション情報テーブル１２ａを示す図、図３（ｂ）は、削除候補登録テーブル１２ｂを示す図である。
【００４２】
図３（ａ）に示すように、アプリケーション情報テーブル１２ａには、記憶部１２にインストールされたアプリケーションの各種情報が登録されている。インストールされたアプリケーションの各種情報には、アプリケーション名、アプリケーションの種類、最終起動日時、取得元（ダウンロード元）、作成元、インストール日時（バージョンアップした際は、バージョンアップ日時）、および、アプリケーションにかかるその他の情報が含まれる。その他の情報として、アプリケーションのバージョン、サイズ等が挙げられる。これらの情報は、各アプリケーションのインストール時、またはアプリケーションの利用時に登録、更新される。
【００４３】
図３（ｂ）に示すように、削除候補登録テーブル１２ｂには、削除候補のアプリケーションの名前および種類が登録される。削除候補のアプリケーションは、ユーザが所定のアプリケーションを削除する際に、削除されるアプリケーションとともに削除されるアプリケーションの候補となるアプリケーションである。削除候補のアプリケーションは、削除されるアプリケーションに関連する。ユーザが所定のアプリケーションを削除する際に、制御部１１によって、後述の削除候補抽出条件に則した削除候補のアプリケーションの情報（名前および種類）が登録される。なお、削除候補登録テーブル１２ｂには、削除候補とされるアプリケーションを特定するための情報が登録されれば良く、図３（ｂ）の例に
限られるものではない。たとえば、アプリケーションを特定するためのＩＤが登録されても良い。
【００４４】
図２に戻り、制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、振動発生部２０、撮影部２１等）を制御する。
【００４５】
画像出力部１３は、図１に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００４６】
タッチ検出部１４は、図１に示すタッチパネル４を含み、タッチパネル４に対するタッチ操作を検出する。より具体的には、タッチ検出部１４は、タッチパネル４に対する、ユーザの指やタッチペンなどの接触対象（以下、指と言う）の接触位置（以下、「タッチ位置」と称する）を検出する。タッチ検出部１４は、検出したタッチ位置に基づいて生成された位置信号を制御部１１へ出力する。
【００４７】
タッチ操作は、たとえば、タップ操作、フリック操作、スライド操作等を含む。タップ操作とは、タッチパネル４に指が接触された後、短時間のうちに指がタッチパネル４から離される操作である。フリック操作とは、タッチパネル４が接触された後、タッチパネル４を指で任意の方向に弾く操作である。スライド操作とは、タッチパネル４に指が接触されたまま、任意の方向へ指が移動される操作である。ロングタップ操作は、タッチパネル４に指を接触させた後、しばらくの間接触を維持し、タッチパネル４から指を離す操作である。
【００４８】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動された後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００４９】
音声入力部１５は、マイクロフォン５を含む。音声入力部１５は、マイクロフォン５からの電気信号を音声処理部１７へ出力する。
【００５０】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００５１】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００５２】
キー入力部１８は、少なくとも１つ以上のハードキーを含む。たとえば、キー入力部１８は、携帯電話機１の電源のオンオフを切り替えるための電源キー等を含む。キー入力部１８は、押下されたハードキーに対応する信号を制御部１１に出力する。
【００５３】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００５４】
振動発生部２０は、バイブレータを含む。振動発生部２０は、制御部１１からの制御信号に基づき、バイブレータを振動させる。バイブレータの振動がキャビネット２に伝達されて、キャビネット２が振動する。
【００５５】
撮影部２１は、図１（ａ）に示すインカメラ８と図１（ｂ）に示すアウトカメラ９とを含む。撮影部２１は、インカメラ８およびアウトカメラ９により撮影された画像の画像データに各種の画像処理を施し、画像処理後の画像データを制御部１１に出力する。
【００５６】
図４（ａ）、図４（ｂ）は、アプリケーションの実行によりディスプレイ３に表示される画面について説明するための図である。制御部１１は、上述のように、各種のアプリケーションを実行し、アプリケーションに応じた画面をディスプレイ３に表示する。
【００５７】
図４（ａ）に示すように、ディスプレイ３に表示される画面は、ピクト領域ＲＰ、ウィンドウ領域ＲＷおよびキー領域ＲＫにより構成される。ピクト領域ＲＰには、現在時刻１０１、電波の受信強度を示す強度メータ１０２、バッテリー残量を示す残量メータ１０３が表示される。さらに、ピクト領域ＲＰには、上述した不在着信情報、新規メッセージ情報など、各種の通知情報に対応する通知アイコン１０４が表示される。ユーザは、通知アイコン１０４を確認することにより、通知情報の種類を確認することができる。さらに、ユーザにより所定の操作が行われると、後述する通知情報の一覧画面がディスプレイ３に表示される。
【００５８】
キー領域ＲＫには、操作キー群１０５が表示される。操作キー群１０５は、設定キー１０５ａ、ホームキー１０５ｂ、およびバックキー１０５ｃから構成されている。設定キー１０５ａは、主に、各種設定を行う設定画面をディスプレイ３に表示させるためのキーである。ホームキー１０５ｂは、主に、ディスプレイ３の表示を他の画面からホーム画面に移行させるためのキーである。バックキー１０５ｃは、主に、実行された処理を１ステップ前の処理に戻すためのキーである。
【００５９】
ウィンドウ領域ＲＷには、アプリケーションの実行画面が表示される。たとえば、図４（ａ）に示すように、ホームのアプリケーションが実行された場合、ウィンドウ領域ＲＷに、ホーム画面が表示される。ホーム画面には、電話、電子メールなど、各種のアプリケーションに対応する起動用アイコン１０６が配列される。起動用アイコン１０６に対して所定のタッチ操作、たとえば、タップ操作が行われることにより、起動用アイコン１０６に対応づけられたアプリケーションが実行される。
【００６０】
なお、実行されるアプリケーションによっては、ピクト領域ＲＰおよびキー領域ＲＫの少なくとも一つの領域にまでウィンドウ領域ＲＷが拡がる場合がある。
【００６１】
いずれか一つの起動用アイコン１０６に対して、ロングタップ操作がなされると、図４（ｂ）に示すように、削除可能な各起動用アイコン１０６の左上隅に、削除アイコン１０６ａが付される。削除アイコン１０６ａに対してタップ操作が行われることにより、起動用アイコン１０６に対応づけられたアプリケーションが削除される。上述のように、削除アイコン１０６ａは、削除可能なアプリケーションにのみ付される。たとえば、電話、メ
ールといった基本的な機能のアプリケーションには、削除アイコン１０６ａが付されない。
【００６２】
本実施の形態の携帯電話機１は、複数のアプリケーションを簡易な操作で一括して削除するためのアプリケーションを備える。以下、削除アイコン１０６ａに対してタップ操作を行い、削除しようとするアプリケーションを「削除対象アプリケーション」と称する。制御部１１によって抽出された、削除対象アプリケーションに関連するアプリケーションを「削除候補アプリケーション」と称する。
【００６３】
制御部１１は、削除対象アプリケーションおよび削除候補アプリケーションの削除に係る制御処理（以下、「アプリケーション削除処理」という）、および削除候補アプリケーションの抽出に係る制御処理（以下、「削除候補抽出処理」という）を実行する。図２に示すように、制御部１１は、アプリケーション削除処理および削除候補抽出処理を実行するための削除制御部３１を含む。削除制御部３１は、制御部１１によって実行されるプログラムの機能として実現される。
【００６４】
削除制御部３１は、アプリケーション情報テーブル１２ａから各種情報を読み込み、削除対象アプリケーションに関連する削除候補アプリケーションを抽出する。削除制御部３１は、削除対象アプリケーションとともに削除候補アプリケーションを削除するか否かをユーザに選択させるための画面をディスプレイ３に表示させる。削除制御部３１は、ユーザによる操作に応じて、削除対象アプリケーションと削除候補アプリケーションを一括して削除する。
【００６５】
以下、アプリケーション削除処理および削除候補抽出処理の具体例について説明する。
【００６６】
＜実施例１＞
実施例１では、アプリケーション情報テーブル１２ａに記憶されたアプリケーションの種類に関する情報に基づいて、削除候補アプリケーションが抽出される。実施例１では、削除対象アプリケーションと同一の種類であることが、削除候補アプリケーションを抽出するための削除候補抽出条件とされている。
【００６７】
図５は、実施例１に係るアプリケーション削除処理を示すフローチャートである。
【００６８】
図５を参照して、削除制御部３１は、起動用アイコン１０６に対してロングタップ操作がなされたか否かを判定する（Ｓ１０１）。起動用アイコン１０６に対してロングタップ操作がなされていない場合（Ｓ１０１：ＮＯ）、削除制御部３１は、起動用アイコン１０６に対するロングタップ操作の有無の判定処理を繰り返す。起動用アイコン１０６に対してロングタップ操作がなされた場合（Ｓ１０１：ＹＥＳ）、削除制御部３１は、ウィンドウ領域ＲＷに対してタップ操作がなされた否かを判定する（Ｓ１０２）。
【００６９】
ウィンドウ領域ＲＷに対してタップ操作がなされていない場合（Ｓ１０２：ＮＯ）、削除制御部３１は、ウィンドウ領域ＲＷに対するタップ操作の有無の判定処理を繰り返す。ウィンドウ領域ＲＷに対してタップ操作がなされた場合（Ｓ１０２：ＹＥＳ）、削除制御部３１は、ウィンドウ領域ＲＷに対してなされたタップ操作が削除アイコン１０６ａに対するタップ操作であるか否かを判定する（Ｓ１０３）。削除アイコン１０６ａに対するタップ操作でない場合（Ｓ１０３：ＮＯ）、削除制御部３１は、アプリケーション削除処理を終了する。処理が終了すると再度、アプリケーション削除処理が実行され、起動用アイコン１０６に対するロングタップ操作の有無の判定処理（Ｓ１０１）が実行される。
【００７０】
ウィンドウ領域ＲＷに対してなされたタップ操作が削除アイコン１０６ａに対するタッ
プ操作である場合（Ｓ１０３：ＹＥＳ）、削除制御部３１は、図６に示す削除候補抽出処理を実行する（Ｓ１０４）。
【００７１】
図６は、実施例１に係る削除候補抽出処理を示すフローチャートである。
【００７２】
図６を参照して、削除制御部３１は、アプリケーション情報テーブル１２ａからインストール済みアプリケーションの名前と種類に関する情報を読み込む（Ｓ２０１）。削除制御部３１は、タップ操作がなされた削除アイコン１０６ａに対応する削除対象アプリケーションの種類が、読み込んだインストール済みアプリケーションの種類と同一種類であるか否かを判定する（Ｓ２０２）。
【００７３】
削除対象アプリケーションの種類が読み込んだインストール済みアプリケーションの種類と同一種類である場合（Ｓ２０２：ＹＥＳ）、削除制御部３１は、このアプリケーションの名前と種類を削除候補登録テーブル１２ｂに記憶する（Ｓ２０３）。削除対象アプリケーションの種類が読み込んだインストール済みアプリケーションの種類と同一種類でない場合（Ｓ２０２：ＮＯ）、削除制御部３１は、処理をＳ２０４に進める。
【００７４】
削除制御部３１は、アプリケーション情報テーブル１２ａに同一種類であるか否かを判定していないインストール済みアプリケーションが登録されているか否かを判定する（Ｓ２０４）。未判定のインストール済みアプリケーションが登録されている場合（Ｓ２０４：ＹＥＳ）、削除制御部３１は、処理をＳ２０１に戻し、全てのインストール済みアプリケーションに対して、削除候補アプリケーションの種類と同一であるか否かを判定する処理を実行する（Ｓ２０１〜Ｓ２０４）。未判定のインストール済みアプリケーションがなくなると（Ｓ２０４：ＮＯ）、削除制御部３１は、図５のＳ１０５に処理を進める。
【００７５】
たとえば、図３（ａ）に示すアプリケーション情報テーブル１２ａにおいて、削除対象アプリケーションが“Ｆ”である場合、種類が“カメラ”である“Ａ”と“Ｋ”のアプリケーションが図３（ｂ）に示す削除候補登録テーブル１２ｂに登録される。なお、ユーザに削除権限のない基本的な機能のアプリケーションは、削除候補として抽出されない。
【００７６】
図５に戻り、削除制御部３１は、図７に示すように、削除確認ウィンドウ３０１と、削除候補選択ウィンドウ３０２と、削除候補サムネイルウィンドウ３０３をディスプレイ３に表示させる（Ｓ１０５〜Ｓ１０７）。
【００７７】
図７および図８は、実施例１に係るアプリケーション削除画面の表示例を示す図である。
【００７８】
図７を参照して、アプリケーション削除画面には、削除確認ウィンドウ３０１と、削除候補選択ウィンドウ３０２と、削除候補サムネイルウィンドウ３０３が含まれる。削除確認ウィンドウ３０１には、削除対象アプリケーションを削除するか否かを確認するメッセージと、削除アイコン３０１ａと、キャンセルアイコン３０１ｂが含まれる。ユーザは、削除確認ウィンドウ３０１を見ることにより、削除対象アプリケーション名を確認することができる。図７の例では、“Ｆ”の削除対象アプリケーション名が示されている。
【００７９】
削除候補選択ウィンドウ３０２には、削除候補アイコン３０２ａと、削除候補チェックボックス３０２ｂと、抽出理由メッセージ３０２ｃが含まれる。削除候補アイコン３０２ａは、上述の削除候補抽出処理（Ｓ２０１〜Ｓ２０４）によって抽出された削除候補アプリケーション名を表示する。図７の例では、“Ａ”と“Ｆ”の削除候補アプリケーション名が示されている。
【００８０】
削除候補チェックボックス３０２ｂへのタップ操作により削除候補アプリケーションの削除の要否が選択される。抽出理由メッセージ３０２ｃは、削除候補アプリケーションが抽出された理由を示す文字列である。図７の例では、削除候補抽出理由が“同一種類”であることが示されており、その種類は、“カメラ”であることが示されている。
【００８１】
削除候補サムネイルウィンドウ３０３には、複数の削除候補サムネイル３０３ａが含まれる。削除候補サムネイル３０３ａは、ホーム画面の各ページを縮小した画像であり、削除候補アプリケーションの起動用アイコン１０６に強調表示がなされている。ユーザは、削除候補サムネイル３０３ａを見ることにより、削除候補アプリケーションがホーム画面のどの位置にあるかを容易に把握することができ、削除候補アプリケーションの削除要否を迅速に決定することができる。
【００８２】
図５に戻り、削除制御部３１は、削除候補チェックボックス３０２ｂに対してタップ操作がなされたか否かを判定する（Ｓ１０８）。削除候補チェックボックス３０２ｂに対してタップ操作がなされると（Ｓ１０８：ＹＥＳ）、削除制御部３１は、削除候補チェックボックス３０２ｂのチェック状態を変更する（Ｓ１０９）。具体的には、削除候補チェックボックス３０２ｂがチェック状態でない場合、削除制御部３１は、削除候補チェックボックス３０２ｂがチェックされている状態とするフラグ情報を記憶部１２に記憶する。削除候補チェックボックス３０２ｂにチェックマークが表示される。削除候補チェックボックス３０２ｂがチェック状態の場合、削除制御部３１は、削除候補チェックボックス３０２ｂをチェックされていない状態とするフラグ情報を記憶部１２に記憶する。削除候補チェックボックス３０２ｂからチェックマークが消去される。削除候補チェックボックス３０２ｂに対してタップ操作がなされていない場合（Ｓ１０８：ＮＯ）、削除制御部３１は、処理をＳ１１０に進める。
【００８３】
削除制御部３１は、削除確認ウィンドウ３０１の削除アイコン３０１ａに対してタップ操作がなされたか否かを判定する（Ｓ１１０）。削除アイコン３０１ａに対してタップ操作がなされていない場合（Ｓ１１０：ＮＯ）、削除制御部３１は、削除確認ウィンドウ３０１のキャンセルアイコン３０１ｂに対してタップ操作がなされたか否かを判定する（Ｓ１１１）。キャンセルアイコン３０１ｂに対してタップ操作がなされていない場合（Ｓ１１１：ＮＯ）、削除制御部３１は、処理をＳ１０８に戻し、削除候補選択ウィンドウ３０２の削除候補チェックボックス３０２ｂ、削除確認ウィンドウ３０１の削除アイコン３０１ａ、キャンセルアイコン３０１ｂに対するタップ操作の有無の判定処理を繰り返す（Ｓ１０８〜Ｓ１１１）。キャンセルアイコン３０１ｂに対してタップ操作がなされると（Ｓ１１１：ＹＥＳ）、削除制御部３１は、アプリケーション削除処理を終了する。処理が終了すると再度、アプリケーション削除処理が実行され、起動用アイコン１０６に対するロングタップ操作の有無の判定処理（Ｓ１０１）が実行される。
【００８４】
削除アイコン３０１ａに対してタップ操作がなされると（Ｓ１１０：ＹＥＳ）、削除制御部３１は、削除対象アプリケーションを削除する（Ｓ１１２）。具体的には、削除制御部３１は、記憶部１２から削除対象アプリケーションのプログラムと設定ファイル等を削除し、アプリケーション情報テーブル１２ａから削除対象アプリケーションの情報を削除する。これにより、ホーム画面から削除対象アプリケーションの起動用アイコン１０６が削除される。
【００８５】
削除制御部３１は、いずれかの削除候補チェックボックス３０２ｂがチェック状態であるか否かを判定する（Ｓ１１３）。いずれかの削除候補チェックボックス３０２ｂがチェック状態の場合（Ｓ１１３：ＹＥＳ）、削除制御部３１は、チェック状態の削除候補アプリケーションを削除する（Ｓ１１４）。具体的には、削除制御部３１は、記憶部１２から削除候補アプリケーションのプログラムと設定ファイル等を削除し、アプリケーション情
報テーブル１２ａから削除候補アプリケーションの情報を削除する。これにより、ホーム画面から削除候補アプリケーションの起動用アイコン１０６が削除される。すべての削除候補チェックボックス３０２ｂがチェック状態でない場合（Ｓ１１３：ＮＯ）、削除制御部３１は、アプリケーション削除処理を終了する。処理が終了すると再度、アプリケーション削除処理が実行され、起動用アイコン１０６に対するロングタップ操作の有無の判定処理（Ｓ１０１）が実行される。
【００８６】
こうして、削除対象アプリケーションと削除候補チェックボックス３０２ｂがチェック状態の削除候補アプリケーションが削除されると、アプリケーション削除画面には、図８に示すように、削除したアプリケーション名が表示される。
【００８７】
以上、実施例１によれば、削除制御部３１により、削除対象アプリケーションに関連する削除候補アプリケーションが抽出され、削除対象アプリケーションの削除後に削除候補アプリケーションが自動で削除される。したがって、ユーザは、複数のアプリケーションを簡易な操作で削除することができる。これにより、単純な削除操作の繰り返しが抑制され、アプリケーションの誤削除を防ぐことができる。
【００８８】
また、実施例１によれば、図７に示すように、削除候補チェックボックス３０２ｂにより、削除候補アプリケーションの削除要否が選択可能となっている。したがって、ユーザは、適宜、削除候補アプリケーションの削除要否を判断することができる。
【００８９】
また、実施例１によれば、図７に示すように、削除候補サムネイル３０３ａが表示される。したがって、ユーザは、削除候補アプリケーションがホーム画面のどの位置にあるかを容易に把握することができ、削除候補アプリケーションの削除要否を迅速に決定することができる。
【００９０】
また、実施例１によれば、図７に示すように、抽出理由メッセージ３０２ｃが表示される。したがって、ユーザは、削除候補アプリケーションがどういう理由で抽出されたかを把握することができる。これにより、削除候補アプリケーションの削除要否を適正に判断することができる。
【００９１】
また、実施例１によれば、削除候補選択ウィンドウ３０２が、削除対象アプリケーションの削除前に表示され、削除対象アプリケーションと削除候補アプリケーションの削除を一括して行うことができる。したがって、アプリケーション削除にかかる処理を効率的に行うことができる。
【００９２】
また、実施例１によれば、削除対象アプリケーションの種類に関する情報に基づいて、削除候補アプリケーションが抽出される。したがって、削除対象アプリケーションと同一種類のインストール済みアプリケーションを確実に削除候補として抽出することできる。
【００９３】
なお、実施例１では、削除対象アプリケーションの種類と同一種類のアプリケーションが削除候補アプリケーションとして抽出されたが、必ずしも同一種類のアプリケーションでなくても良く、たとえば、同じカテゴリーに属するアプリケーションが削除候補として抽出されても良い。たとえば、“カメラ”のアプリケーションと“画像閲覧”のアプリケーションが同一カテゴリーであるとされても良い。
【００９４】
＜実施例２＞
上記実施例１では、アプリケーションの種類に関する情報に基づいて、削除候補アプリケーションが抽出された。実施例２では、アプリケーション情報テーブル１２ａに記憶されたアプリケーションの最終起動日時に関する情報に基づいて、削除候補アプリケーショ
ンが抽出される。実施例２では、削除対象アプリケーションと最終起動日時が近い（最終起動日時から所定時間以内である）ことが、削除候補アプリケーションを抽出するための削除候補抽出条件とされている。
【００９５】
図９（ａ）は、実施例２に係る削除候補抽出処理を示すフローチャートである。図９（ｂ）は、実施例２に係る削除候補登録テーブル１２ｂの例を示す図である。
【００９６】
図９（ａ）を参照して、削除制御部３１は、アプリケーション情報テーブル１２ａからインストール済みアプリケーションの名前と最終起動日時に関する情報を読み込む（Ｓ２０１）。削除制御部３１は、タップ操作がなされた削除アイコン１０６ａに対応する削除対象アプリケーションの最終起動日時が、読み込んだインストール済みアプリケーションの最終起動日時から所定時間以内であるか否かを判定する（Ｓ２１１）。たとえば、所定時間は、数分〜数十分程度に設定される。
【００９７】
削除対象アプリケーションの最終起動日時が読み込んだインストール済みアプリケーションの最終起動日時から所定時間以内である場合（Ｓ２１１：ＹＥＳ）、削除制御部３１は、このアプリケーションの名前と最終起動日時を削除候補登録テーブル１２ｂに記憶する（Ｓ２０３）。削除対象アプリケーションの最終起動日時が読み込んだインストール済みアプリケーションの最終起動日時から所定時間以内でない場合（Ｓ２１１：ＮＯ）、削除制御部３１は、処理をＳ２０４に進める。
【００９８】
そして、実施例１と同様に、削除制御部３１は、処理をＳ２０１に戻し、全てのインストール済みアプリケーションに対して、削除候補の抽出処理を実行する（Ｓ２０１〜Ｓ２０４）。
【００９９】
たとえば、図３（ａ）に示すアプリケーション情報テーブル１２ａにおいて、削除対象アプリケーションが“Ｆ”である場合、最終起動日時が近い“Ａ”と“Ｋ”と“Ｊ”のアプリケーションが図９（ｂ）に示す削除候補登録テーブル１２ｂに登録される。
【０１００】
以上、実施例２によれば、削除対象アプリケーションの最終起動日時に基づいて、削除候補アプリケーションが抽出される。したがって、削除対象アプリケーションに関連して利用されるインストール済みアプリケーションが削除候補に抽出される。たとえば、カメラのアプリケーション“Ｆ”と一緒に利用されやすい画像閲覧のアプリケーション“Ｊ”も削除候補として抽出される。これにより、ユーザは、削除対象アプリケーションに関連するアプリケーションを一括して削除することができる。
【０１０１】
なお、実施例２では、削除対象アプリケーションの最終起動日時とインストール済みアプリケーションの最終起動日時とを比較することにより、削除候補アプリケーションが抽出されたが、これに限られるものではない。たとえば、アプリケーションの最終起動日時の比較だけではなく、過去所定回数の起動日時の統計に基づいて、削除候補アプリケーションが抽出されても良い。こうすると、最終起動日時のほか、所定回数分の起動日時を記憶しておく必要があるため、記憶部１２に必要な容量が増大するものの、削除候補抽出の精度を向上させることができる。
【０１０２】
＜実施例３＞
実施例３では、アプリケーション情報テーブル１２ａに記憶されたアプリケーションの取得元に関する情報に基づいて、削除候補アプリケーションが抽出される。実施例３では、削除対象アプリケーションと同一の取得元であることが、削除候補アプリケーションを抽出するための削除候補抽出条件とされている。
【０１０３】
図１０（ａ）は、実施例３に係る削除候補抽出処理を示すフローチャートである。図１０（ｂ）は、実施例３に係る削除候補登録テーブル１２ｂの例を示す図である。
【０１０４】
図１０（ａ）を参照して、削除制御部３１は、アプリケーション情報テーブル１２ａからインストール済みアプリケーションの名前とアプリケーションの取得元に関する情報を読み込む（Ｓ２０１）。アプリケーションの取得元に関する情報は、たとえば、アプリケーションをダウンロードしたＵＲＬである。削除制御部３１は、タップ操作がなされた削除アイコン１０６ａに対応する削除対象アプリケーションの取得元と、読み込んだインストール済みアプリケーションの取得元とが同一であるか否かを判定する（Ｓ２２１）。
【０１０５】
削除対象アプリケーションの取得元が読み込んだインストール済みアプリケーションの取得元と同一である場合（Ｓ２２１：ＹＥＳ）、削除制御部３１は、このアプリケーションの名前と取得元を削除候補登録テーブル１２ｂに記憶する（Ｓ２０３）。削除対象アプリケーションの取得元が読み込んだインストール済みアプリケーションの取得元と同一でない場合（Ｓ２２１：ＮＯ）、削除制御部３１は、処理をＳ２０４に進める。
【０１０６】
そして、実施例１と同様に、削除制御部３１は、処理をＳ２０１に戻し、全てのインストール済みアプリケーションに対して、削除候補の抽出処理を実行する（Ｓ２０１〜Ｓ２０４）。
【０１０７】
たとえば、図３（ａ）に示すアプリケーション情報テーブル１２ａにおいて、削除対象アプリケーションが“Ｆ”である場合、取得元が同一である“Ａ”と“Ｄ”のアプリケーションが図１０（ｂ）に示す削除候補登録テーブル１２ｂに登録される。
【０１０８】
以上、実施例３によれば、削除対象アプリケーションの取得元に基づいて、削除候補アプリケーションが抽出される。したがって、削除対象アプリケーションに関連していると想定される取得元が同一のインストール済みアプリケーションが削除候補に抽出される。たとえば、カメラのアプリケーション“Ｆ”と同一の取得元から取得された画像編集のアプリケーション“Ｄ”が削除候補として抽出される。これにより、ユーザは、削除対象アプリケーションに関連する取得元が同一のアプリケーションを一括して削除することができる。
【０１０９】
なお、実施例３では、取得元が完全一致したアプリケーションが削除候補として抽出された。しかしながら、ＵＲＬ等の取得元を特定する情報の一部分が異なるような、削除対象アプリケーションの取得元と関連性の高い取得元のアプリケーションが削除候補として抽出されても良い。たとえば、図３（ａ）に示すアプリケーション情報テーブル１２ａにおいて、削除対象アプリケーションが“Ｆ”である場合、取得元を特定する情報の一部分が同一である“Ｊ”のアプリケーションが削除候補登録テーブル１２ｂに登録されることとしても良い。こうすると、より多くの削除候補を抽出することができる。
【０１１０】
＜実施例４＞
実施例４では、アプリケーション情報テーブル１２ａに記憶されたアプリケーションの作成元に関する情報に基づいて、削除候補アプリケーションが抽出される。実施例４では、削除対象アプリケーションと同一の作成元であることが、削除候補アプリケーションを抽出するための削除候補抽出条件とされている。
【０１１１】
図１１（ａ）は、実施例４に係る削除候補抽出処理を示すフローチャートである。図１１（ｂ）は、実施例４に係る削除候補登録テーブル１２ｂの例を示す図である。
【０１１２】
図１１（ａ）を参照して、削除制御部３１は、アプリケーション情報テーブル１２ａか
らインストール済みアプリケーションの名前とアプリケーションの作成元に関する情報を読み込む（Ｓ２０１）。アプリケーションの作成元に関する情報は、たとえば、アプリケーションの作成者の名前、会社名等である。削除制御部３１は、タップ操作がなされた削除アイコン１０６ａに対応する削除対象アプリケーションの作成元と、読み込んだインストール済みアプリケーションの作成元とが同一であるか否かを判定する（Ｓ２３１）。
【０１１３】
削除対象アプリケーションの作成元が読み込んだインストール済みアプリケーションの作成元と同一である場合（Ｓ２３１：ＹＥＳ）、削除制御部３１は、このアプリケーションの名前と作成元を削除候補登録テーブル１２ｂに記憶する（Ｓ２０３）。削除対象アプリケーションの作成元が読み込んだインストール済みアプリケーションの作成元と同一でない場合（Ｓ２３１：ＮＯ）、削除制御部３１は、処理をＳ２０４に進める。
【０１１４】
そして、実施例１と同様に、削除制御部３１は、処理をＳ２０１に戻し、全てのインストール済みアプリケーションに対して、削除候補の抽出処理を実行する（Ｓ２０１〜Ｓ２０４）。
【０１１５】
たとえば、図３（ａ）に示すアプリケーション情報テーブル１２ａにおいて、削除対象アプリケーションが“Ｆ”である場合、作成元が同一である“Ｊ”のアプリケーションが図１１（ｂ）に示す削除候補登録テーブル１２ｂに登録される。
【０１１６】
以上、実施例４によれば、削除対象アプリケーションの作成元に基づいて、削除候補アプリケーションが抽出される。したがって、削除対象アプリケーションに関連している想定される作成元が同一のインストール済みアプリケーションが削除候補に抽出される。たとえば、カメラのアプリケーション“Ｆ”と同一の作成元の画像閲覧のアプリケーション“Ｊ”が削除候補として抽出される。これにより、ユーザは、削除対象アプリケーションに関連する作成元が同一のアプリケーションを一括して削除することができる。
【０１１７】
なお、実施例４では、作成元が完全一致したアプリケーションが削除候補として抽出された。しかしながら、複数人の作成元のうち一人の作成元が一致するような、削除対象アプリケーションの作成元と関連性の高い作成元のアプリケーションが削除候補として抽出されても良い。また、作成元に所属会社と作成者の情報が含まれるような場合は、所属会社のみが一致する作成元のアプリケーションが削除候補として抽出されても良い。
【０１１８】
また、上記実施例１〜４の削除候補抽出ルールは、適宜組み合わせられても良い。たとえば、実施例２と実施例３を組み合わせて、削除対象アプリケーションと最終起動時間が近く、且つ、取得元が同一であるアプリケーションを削除候補アプリケーションとして抽出するようにしても良い。このように、複数の条件のうち、すべての条件を満たしたアプリケーションを削除候補とするようにすれば、より関連性の高い削除候補のみを抽出することができ、ユーザによる削除要否の判断の負荷を軽減することができる。
【０１１９】
また、たとえば、実施例３と実施例４を組み合わせて、取得元または作成元が同一であるアプリケーションを削除候補アプリケーションとして抽出するようにしても良い。このように、複数の条件のうち、いずれかの条件を満たしたアプリーションを削除候補とするようにすれば、より多くの削除候補を抽出することができる。
【０１２０】
さらに、上記実施例１〜４の削除候補抽出ルールは、アプリケーション情報テーブル１２ａの情報に基づく種々のルールに変更され得る。たとえば、インストール日時が所定時間内であるインストール済みアプリケーションが、削除候補アプリケーションとして抽出されても良い。
【０１２１】
＜変更例１＞
上記実施例１〜４では、図４（ｂ）に示すように、起動用アイコン１０６に付された削除用アイコン１０６ａに対してタップ操作がなされることにより、起動用アイコン１０６に対応づけられたアプリケーションが削除される形態が示された。変更例１では、アプリケーションの起動用アイコン１０７を削除領域に移動させることによって、アプリケーションの起動用アイコン１０７のみが削除され、起動用アイコン１０７に対応づけられたアプリケーションは削除されない。
【０１２２】
図１２（ａ）、図１２（ｂ）は、変更例１に係るホーム画面を示す図である。
【０１２３】
図１２（ａ）に示すように、ディスプレイ３に表示されるホーム画面には、電話、電子メールなど、各種のアプリケーションに対応する起動用アイコン１０７が配列される。
【０１２４】
起動用アイコン１０７に対して、ロングタップ操作がなされると、図１２（ｂ）に示すように、ウィンドウ領域ＲＷの上部が削除領域ＲＤとして割り当てられる。起動用アイコン１０７に対してドラッグ操作を行い、削除領域ＲＤに位置付けることにより、起動用アイコン１０７が削除される。なお、起動用アイコン１０７を削除しても、起動用アイコン１０７に対応づけられたアプリケーションは削除されない。
【０１２５】
変更例１の携帯電話機１は、ユーザが削除しようとする起動用アイコン１０７に対応するアプリケーションに関連する複数のアプリケーションの起動用アイコン１０７を簡易な操作で一括して削除するためのアプリケーションを備える。変更例１では、ユーザが削除領域ＲＷに移動させた起動用アイコン１０７を「削除対象アイコン」と称する。変更例１では、削除対象アイコンに対応づけられたアプリケーションに関連するアプリケーションの起動用アイコン１０７が「削除候補アイコン」として抽出される。
【０１２６】
変更例１では、削除制御部３１は、削除対象アイコンと削除候補アイコンを一括して削除する。以下、削除対象アイコンおよび削除候補アイコンの削除に係る制御処理を「アイコン削除処理」と称する。
【０１２７】
図１３は、変更例１に係るアイコン削除処理を示すフローチャートである。
【０１２８】
図１３を参照して、削除制御部３１は、起動用アイコン１０７に対してロングタップ操作がなされたか否かを判定する（Ｓ３０１）。起動用アイコン１０７に対してロングタップ操作がなされていない場合（Ｓ３０１：ＮＯ）、削除制御部３１は、起動用アイコン１０７に対するロングタップ操作の有無の判定処理を繰り返す。起動用アイコン１０７に対してロングタップ操作がなされた場合（Ｓ３０１：ＹＥＳ）、削除制御部３１は、起動用アイコン１０７に対してドラッグ操作がなされたか否かを判定する（Ｓ３０２）。
【０１２９】
起動用アイコン１０７に対してドラッグ操作がなされていない場合（Ｓ３０２；ＮＯ）、削除制御部３１は、起動用アイコン１０７に対するドラッグ操作の有無の判定処理を繰り返す。起動用アイコン１０７に対するドラッグ操作がなされた場合（Ｓ３０２：ＹＥＳ）、起動用アイコン１０７に対してなされたドラッグ操作が削除領域ＲＤに対するドラッグ操作であるか否かを判定する（Ｓ３０３）。
【０１３０】
削除領域ＲＤに対するドラッグ操作でない場合（Ｓ３０３：ＮＯ）、削除制御部３１は、指が離されたウィンドウ領域ＲＷの位置に起動用アイコン１０７を移動させる（Ｓ３０４）。そして、削除制御部３１は、アイコン削除処理を終了する。処理が終了すると再度、アイコン削除処理が実行され、起動用アイコン１０７に対するロングタップ操作の有無の判定処理（Ｓ３０１）が実行される。
【０１３１】
削除領域ＲＤに対するドラッグ操作である場合（Ｓ３０２：ＹＥＳ）、削除制御部３１は、上記実施例１〜４と略同様にして、削除候補抽出処理を実行する（Ｓ３０５）。なお、変更例１における削除候補抽出処理では、削除対象アイコンに対応づけられたアプリケーションに関連するアプリケーションの起動用アイコン１０７が削除候補アイコンとして抽出される。そして、削除制御部３１は、図１４に示すように、削除確認ウィンドウ３０１と、削除候補選択ウィンドウ３０２と、削除候補サムネイルウィンドウ３０３をディスプレイ３に表示させる（Ｓ３０６〜Ｓ３０８）。
【０１３２】
図１４は、アイコン削除画面の表示例を示す図である。
【０１３３】
図１４を参照して、アイコン削除画面は、上記実施例１〜４のアプリケーション削除画面と略同様の画面構成である。削除確認ウィンドウ３０１には、削除対象アイコンを削除するか否かを確認するメッセージと、ＯＫアイコン３０１ｃと、キャンセルアイコン３０１ｄが含まれる。
【０１３４】
なお、図１４の例では、削除候補抽出処理において、複数の削除候補抽出条件に基づいて複数の削除候補アイコンが抽出されたため、複数の抽出理由メッセージ３０２ｃが表示されている。
【０１３５】
図１３に戻り、削除制御部３１は、削除候補チェックボックス３０２ｂに対してタップ操作がなされたか否かを判定する（Ｓ３０９）。削除候補チェックボックス３０２ｂに対してタップ操作がなされると（Ｓ３０９：ＹＥＳ）、削除制御部３１は、削除候補チェックボックス３０２ｂのチェック状態を変更する（Ｓ３１０）。削除候補チェックボックス３０２ｂに対してタップ操作がなされていない場合（Ｓ３０９：ＮＯ）、削除制御部３１は、処理をＳ３１１に進める。
【０１３６】
削除制御部３１は、削除確認ウィンドウ３０１のＯＫアイコン３０１ｃに対してタップ操作がなされたか否かを判定する（Ｓ３１１）。ＯＫアイコン３０１ｃに対してタップ操作がなされていない場合（Ｓ３１１：ＮＯ）、削除制御部３１は、削除確認ウィンドウ３０１のキャンセルアイコン３０１ｄに対してタップ操作がなされたか否かを判定する（Ｓ３１２）。キャンセルアイコン３０１ｄに対してタップ操作がなされていない場合（Ｓ３１２：ＮＯ）、削除制御部３１は、処理をＳ３０９に戻し、削除候補選択ウィンドウ３０２の削除候補チェックボックス３０２ｂ、削除確認ウィンドウのＯＫアイコン３０１ｃ、キャンセルアイコン３０１ｄに対するタップ操作の有無の判定処理を繰り返す（Ｓ３０９〜Ｓ３１２）。キャンセルアイコン３０１ｂに対してタップ操作がなされると（Ｓ３１２：ＹＥＳ）、削除制御部３１は、アイコン削除処理を終了する。処理が終了すると再度、アイコン削除処理が実行され、起動用アイコン１０７に対するロングタップ操作の有無の判定処理（Ｓ３０１）が実行される。
【０１３７】
ＯＫアイコン３０１ｃに対してタップ操作がなされると（Ｓ３１１：ＹＥＳ）、削除制御部３１は、削除対象アイコンを削除する（Ｓ３１２）。なお、変更例１では、削除対象アイコンに対応するアプリケーションのプログラムと設定ファイル等は削除されず、ホーム画面上の起動用アイコン１０７のみが削除される。
【０１３８】
削除制御部３１は、いずれかの削除候補チェックボックス３０２ｂがチェック状態であるか否かを判定する（Ｓ３１４）。いずれかの削除候補チェックボックス３０２ｂがチェック状態の場合（Ｓ３１４：ＹＥＳ）、削除制御部３１は、チェック状態の削除候補アイコンを削除する（Ｓ３１５）。すべての削除候補チェックボックス３０２ｂがチェック状態でない場合（Ｓ３１４：ＮＯ）、削除制御部３１は、アイコン削除処理を終了する。処
理が終了すると再度、アイコン削除処理が実行され、起動用アイコン１０７に対するロングタップ操作の有無の判定処理（Ｓ３０１）が実行される。
【０１３９】
以上、変更例１によれば、削除制御部３１により、削除対象アイコンに対応するアプリケーションに関連するアプリケーションの削除候補アイコンが抽出され、削除対象アイコンの削除後に削除候補アイコンが自動で削除される。したがって、ユーザは、複数の起動用アイコン１０７を簡易な操作で削除することができる。これにより、単純な削除操作の繰り返しが抑制され、起動用アイコン１０７の誤削除を防ぐことができる。
【０１４０】
＜変更例２＞
上記実施例１〜４では、図４（ｂ）に示すように、起動用アイコン１０６に付された削除用アイコン１０６ａに対してタップ操作がなされることによりアプリケーションが削除される形態が示された。変更例２では、アプリケーション設定画面に対する操作によりアプリケーションが削除される。
【０１４１】
図１５（ａ）は、変更例２に係るホーム画面を示す図である。図１５（ｂ）は、変更例２に係るアプリケーション設定画面を示す図である。
【０１４２】
図１５（ａ）に示すホーム画面において、設定キー１０５ａに対してタップ操作がなされると、メニュー選択画面が表示される。メニュー選択画面において、アプリケーション設定の項目が選択されると、図１５（ｂ）に示すように、アプリケーション設定画面が表示される。
【０１４３】
アプリケーション設定画面には、アプリケーションの各種情報と、アンインストールアイコン１０８等が配される。アプリケーションの各種情報は、アプリケーション情報テーブル１２ａに記憶された内容を含む。アプリケーション設定画面には、これらの情報に基づき、記憶部１２の容量等が表示される。
【０１４４】
図１６は、変更例２に係るアプリケーション削除処理を示すフローチャートである。
【０１４５】
図１６を参照して、削除制御部３１は、図１５（ｂ）に示すアプリケーション設定画面が表示されたか否かを判定する（Ｓ４０１）。具体的には、ホーム画面等において設定キー１０５ａに対してタップ操作がなされることにより表示されたメニュー選択画面において、アプリケーション設定の項目が選択されたか否かを判定する。アプリケーション設定画面が表示されていない場合（Ｓ４０１：ＮＯ）、削除制御部３１は、アプリケーション設定画面の表示有無の判定処理を繰り返す。アプリケーション設定画面が表示されると（Ｓ４０１：ＹＥＳ）、削除制御部３１は、タップ操作がなされたか否かを判定する（Ｓ４０２）。
【０１４６】
タップ操作がなされていない場合（Ｓ４０２）、削除制御部３１は、タップ操作の有無の判定処理を繰り返す。タップ操作がなされた場合（Ｓ４０２：ＹＥＳ）、削除制御部３１は、なされたタップ操がアンインストールアイコン１０８に対するタップ操作であるか否かを判定する（Ｓ４０３）。
【０１４７】
アンインストールアイコン１０８に対するタップ操作でない場合（Ｓ４０３：ＮＯ）、削除制御部３１は、アプリケーション削除処理を終了する。アンインストールアイコン１０８に対するタップ操作である場合（Ｓ４０３：ＹＥＳ）、削除制御部３１は、上記実施例１と同様に削除候補抽出処理を実行し（Ｓ１０４）、削除候補選択に係る各ウィンドウを表示する（Ｓ１０５〜Ｓ１０７）。
【０１４８】
図１７は、変更例２に係るアプリケーション削除画面の表示例を示す図である。
【０１４９】
上記実施例１〜４と同様に、アプリケーション削除画面には、削除確認ウィンドウ３０１と、削除候補選択ウィンドウ３０２と、削除候補サムネイルウィンドウ３０３が含まれる。削除確認ウィンドウ３０１には、ＯＫアイコン３０１ｅと、キャンセルアイコン３０１ｆが含まれる。
【０１５０】
図１６に戻り、削除制御部３１は、上記実施例１と同様に、アプリケーション削除画面に対する操作に従って、削除対象アプリケーションおよび削除候補アプリケーションの削除に係る処理を実行する（Ｓ１０５〜Ｓ１１４）。なお、変更例２では、削除アイコン３０１ａの判定処理（Ｓ１１０）が、ＯＫアイコン３０１ｅに対する判定処理に置き換えられている（Ｓ４０４）。
【０１５１】
以上、変更例２によれば、上記実施例１と略同様の効果が奏される。
【０１５２】
なお、実施例１〜４と変更例１の両方の削除形態が同時に採用されていても良い。または、実施例１〜４と変更例２の両方の削除形態が同時に採用されていても良い。さらには、実施例１〜４と変更例１および変更例２の削除形態が同時に採用されても良い。このようにすれば、ユーザがどのような削除手段によってアプリケーションまたは起動用アイコン１０７を削除しようと場合であっても、アプリケーション自身または起動用アイコン１０７の削除候補となるアプリケーションを提示することができる。
【０１５３】
＜変更例３＞
上記実施例１〜４および変更例２では、削除対象アプリケーションの削除処理の前に、アプリケーション削除画面に削除候補選択ウィンドウ３０２が表示された。変更例３では、削除対象アプリケーションの削除の後に削除候補選択ウィンドウ３０２が表示される。また、変更例３の場合、削除対象アプリケーションの削除後、所定時間が経過すると、削除候補選択ウィンドウ３０２が自動的に非表示にされる。
【０１５４】
図１８は、変更例３に係るアプリケーション削除処理を示すフローチャートである。図１８のフローチャートは、図５に示す実施例１に係るフローチャートのＳ１０４、Ｓ１０６〜１０９の処理およびＳ１１３〜Ｓ１１４の処理が削除され、Ｓ１２１の処理が追加されている。
【０１５５】
ホーム画面における削除アイコン１０６ａに対してタップ操作がなされると（Ｓ１０３：ＹＥＳ）、削除制御部３１は、削除候補抽出処理は行わず、削除確認ウィンドウ３０１を表示させる（Ｓ１０５）。そして、削除制御部３１は、削除確認ウィンドウ３０１における削除アイコン３０１ａに対してタップ操作がなされるか否かを判定する（Ｓ１１０）。削除アイコン３０１ａに対して、タップ操作がなされると（Ｓ１１０：ＹＥＳ）、削除制御部３１は、削除対象アプリケーションを削除し（Ｓ１１２）、図１９に示す削除候補選択処理を実行する（Ｓ１２１）。
【０１５６】
図１９は、変更例３に係る削除候補選択処理を示すフローチャートである。
【０１５７】
図１９を参照して、削除制御部３１は、上記実施例１と同様にして削除候補抽出処理を実行し（Ｓ５０１）、削除制御部３１は、図２０に示すように、削除候補ウィンドウ３０２と、削除候補サムネイルウィンドウ３０３をディスプレイ３に表示させる（Ｓ５０２、Ｓ５０３）。
【０１５８】
図２０は、変更例３に係るアプリケーション削除画面の表示例を示す図である。
【０１５９】
図２０を参照して、アプリケーション削除画面には、削除確認ウィンドウ３０１と、削除候補選択ウィンドウ３０２と、削除候補サムネイルウィンドウ３０３が含まれる。削除確認ウィンドウ３０１には、削除対象アプリケーションを削除した旨のメッセージおよび削除候補アプリケーションを削除するか否かを確認するメッセージと、削除アイコン３０１ｇと、キャンセルアイコン３０１ｈが含まれる。
【０１６０】
図１９に戻り、削除制御部３１は、削除候補チェックボックス３０２ｂに対してタップ操作がなされたか否かを判定する（Ｓ５０４）。削除候補チェックボックス３０２ｂに対してタップ操作がなされると（Ｓ５０４：ＹＥＳ）、削除制御部３１は、削除候補チェックボックス３０２ｂのチェック状態を変更する（Ｓ５０５）。削除候補チェックボックス３０２ｂに対してタップ操作がなされていない場合（Ｓ５０４：ＮＯ）、削除制御部３１は、処理をＳ５０６に進める。
【０１６１】
削除制御部３１は、削除確認ウィンドウ３０１の削除アイコン３０１ｇに対してタップ操作がなされたか否かを判定する（Ｓ５０６）。削除アイコン３０１ｇに対してタップ操作がなされていない場合（Ｓ５０６：ＮＯ）、削除制御部３１は、削除確認ウィンドウ３０１のキャンセルアイコン３０１ｈに対してタップ操作がなされたか否かを判定する（Ｓ５０７）。キャンセルアイコン３０１ｈに対してタップ操作がなされていない場合（Ｓ５０７：ＮＯ）、削除制御部３１は、削除確認ウィンドウ３０１が表示されてから所定時間が経過したか否かを判定する（Ｓ５０８）。
【０１６２】
削除確認ウィンドウ３０１が表示されてから所定時間が経過していない場合（Ｓ５０８：ＮＯ）、削除制御部３１は、処理をＳ５０４に戻し、各アイコン等に対するタップ操作の有無の判定処理を繰り返す（Ｓ５０４〜Ｓ５０７）。削除アイコン３０１ｇに対してタップ操作がなされずに所定時間が経過すると（Ｓ５０８：ＹＥＳ）、または、キャンセルアイコン３０１ｈに対してタップ操作がなされると（Ｓ５０７：ＹＥＳ）、削除制御部３１は、削除確認ウィンドウ３０１、削除候補選択ウィンドウ３０２および削除候補サムネイルウィンドウ３０３を非表示にし（Ｓ５１１〜Ｓ５１３）、削除候補選択削除処理を終了する。
【０１６３】
削除アイコン３０１ｇに対してタップ操作がなされると（Ｓ５０６：ＹＥＳ）、削除制御部３１は、いずれかの削除候補チェックボックス３０２ｂがチェック状態であるか否かを判定する（Ｓ５０９）。いずれかの削除候補チェックボックス３０２ｂがチェック状態の場合（Ｓ５０９：ＹＥＳ）、削除制御部３１は、チェック状態の削除候補アプリケーションを削除する（Ｓ５１０）。すべての削除候補チェックボックス３０２ｂがチェック状態でない場合（Ｓ５０９：ＮＯ）、削除制御部３１は、削除確認ウィンドウ３０１、削除候補選択ウィンドウ３０２および削除候補サムネイルウィンドウ３０３を非表示にし（Ｓ５１１〜Ｓ５１３）、削除候補選択処理を終了する。
【０１６４】
以上、変更例３によれば、上記実施例１と略同様の効果が奏される。
【０１６５】
また、変更例３によれば、削除候補選択ウィンドウ３０２が、削除候補選択ウィンドウ３０２の表示後、所定時間が経過すると、自動的に削除候補選択ウィンドウ３０２等が非表示にされるため、削除候補アプリケーションの削除が不要な場合でもユーザは削除候補選択ウィンドウ３０２等を閉じる操作を行わなくてよく、ユーザの手間が軽減される。
【０１６６】
＜その他＞
以上、本発明の実施の形態および変更例について説明したが、本発明は、上記実施の形態等によって何ら制限されるものではなく、また、本発明の実施の形態も、上記以外に種
々の変更が可能である。
【０１６７】
たとえば、上記実施例１〜４および変更例３では、起動用アイコン１０６に対応づけられたアプリケーションおよび起動アイコン１０７を削除する形態が示されたが、ウィジェット等を削除する形態に、本発明が適用されても良い。なお、ウィジェットとは、アプリケーションの一部の機能を実行した結果をホーム画面上に表示させる表示オブジェクトである（たとえば、カレンダー、天気予報等）。
【０１６８】
この場合、まず、ホーム画面に配された複数のウィジェットのうち、削除対象とするウィジェットが選択される。選択したウィジェットに対応するアプリケーションに関連するアプリケーションのウィジェットが抽出され、選択したウィジェットと抽出されたウィジェットが一括して削除される。このようにすれば、ユーザは、複数のウィジェットを簡易な操作で削除することができる。
【０１６９】
また、上記実施例１〜４および変更例１〜３における画面表示は、一例であり、これに限られるものではない。たとえば、削除確認ウィンドウ３０１、削除候補選択ウィンドウ３０２、削除候補サムネイルウィンドウ３０３は、個別のウィンドウ領域に表示されるのではなく、ディスプレイ３のウィンドウ領域ＲＷの全面にこれらウィンドウ３０１〜３０３と同じ機能の確認画面が表示されても良い。また、抽出理由メッセージ３０２ｃも任意に変更することができる。
【０１７０】
また、上記実施例１〜４および変更例１〜３では、削除確認ウィンドウ３０１、削除候補選択ウィンドウ３０２等が表示されたが、これらウィンドウ３０１〜３０３の表示が省略され、削除対象アプリケーションが削除されると、自動で全ての削除候補アプリケーションが削除されても良い。
【０１７１】
また、上記実施の形態では、削除対象のアプリケーションは、携帯電話機１の記憶部１２に記憶されたが、外部記憶媒体や携帯電話機１と通信可能な携帯電話機１以外の電子機器（たとえば、パーソナルコンピュータ、サーバ等）の記憶部に記憶されても良い。さらに、上記実施の形態では、削除候補アプリケーションを抽出するためのアプリケーション情報テーブル１２ａ、削除候補登録テーブル１２ｂは、携帯電話機１の記憶部１２に記憶されたが、外部記憶媒体や携帯電話機１と通信可能な携帯電話機１以外の電子機器（たとえば、パーソナルコンピュータ、サーバ等）の記憶部に記憶されても良い。
【０１７２】
本発明は、携帯電話機に限られず、パーソナルコンピュータ、ＰＤＡ（PersonalDigital Assistant）、タブレットＰＣ（Tablet PC）、電子書籍端末等の携帯端末装置に適用可能であり、さらに、携帯端末装置に限られず、パーソナルコンピュータ等を含めた各種の電子機器に適用可能である。
【０１７３】
この他、本発明の実施形態は、特許請求の範囲に示された技術的思想の範囲内において、適宜、種々の変更が可能である。
【符号の説明】
【０１７４】
１  携帯電話機（電子機器）
３  ディスプレイ（表示部）
１１  制御部
１２  記憶部
１２ａ  アプリケーション情報テーブル
３１  削除制御部（受付部、抽出部、アプリケーション削除部、オブジェクト削除部）
１０６  起動用アイコン（第１のオブジェクト、第２のオブジェクト）
１０７  起動用アイコン（第１のオブジェクト、第２のオブジェクト）
【図１】
2015026961.tif 000003
【図２】
2015026961.tif 000004
【図３】
2015026961.tif 000005
【図４】
2015026961.tif 000006
【図５】
2015026961.tif 000007
【図６】
2015026961.tif 000008
【図７】
2015026961.tif 000009
【図８】
2015026961.tif 000010
【図９】
2015026961.tif 000011
【図１０】
2015026961.tif 000012
【図１１】
2015026961.tif 000013
【図１２】
2015026961.tif 000014
【図１３】
2015026961.tif 000015
【図１４】
2015026961.tif 000016
【図１５】
2015026961.tif 000017
【図１６】
2015026961.tif 000018
【図１７】
2015026961.tif 000019
【図１８】
2015026961.tif 000020
【図１９】
2015026961.tif 000021
【図２０】
2015026961.tif 000022